(57)【特許請求の範囲】
【請求項１】
アンテナから入力されたデジタル放送信号より希望の周波数の信号を選択するチューナ部と、受信した信号を復調及び誤り訂正を行うとともに受信した信号の受信状態の検出を行う復調訂正部と、を備えたデジタル放送受信装置であって、
前記チューナ部と前記復調訂正部はそれぞれ複数個有し、
一のチューナ部と一の復調訂正部によって一の周波数チャンネルの選局動作の開始から映像のデコードが終了するまでの間に前記一の復調訂正部で検出された受信状態を表示し、
他のチューナ部と他の復調訂正部によって受信可能な周波数範囲の各周波数チャンネルの選局動作を行い各周波数チャンネルの受信状態を検出して、前記一のチューナ部による受信状態の表示とともに、前記各周波数チャンネルの受信状態を一覧で表示し、
前記一の周波数チャンネルと前記各周波数チャンネルの受信状態の表示は、メモリに記録された周波数チャンネルとサービス番号との関連情報に基づいて、前記サービス番号が選局された際には当該サービス番号に該当する周波数チャンネルの受信状態を前記選局されたサービス番号単位で表示する
ことを特徴とするデジタル放送受信装置。
【発明の詳細な説明】
【０００１】
【発明の属する技術分野】
本発明は、デジタル放送受信装置に関わり、受信状態の内容を表示することが出来るデジタル放送受信装置に関するものである。より詳しくは、選局動作開始後、映像・音声をデコードするまでの間に、受信状態を素早く表示する手段を備えた受信装置に関する。
【０００２】
【従来の技術】
従来のデジタル放送受信装置においては、選局したチャンネルの受信状態は、選局動作開始後、映像・音声のデコードが終了し、映像・音声が表示された後、その映像・音声の乱れ具合、により確認していた。
【０００３】
または、視聴者が、映像・音声の乱れの発生時に、受信機をリモコン等で操作し、アンテナレベル等の受信レベルの表示画面を表示させることにより確認していた。
【０００４】
視聴者はこのようにして受信状態を判別し、悪いと判断した後に他の受信状態が良好なチャンネルを選局するようにしていた。
【０００５】
特開平３−２１４３２４号公報では、受信機において、選局後に受信信号のエラーレートを算出し、このエラーレートレートに基いて、受信状態の良否の表示を行うようにしている。
【０００６】
【発明が解決しようとする課題】
デジタル放送の場合、選局動作開始後、同調、復調、映像のデコードをし、絵が出るまでの間に時間がかかるので、選局操作を行った後、ある期間なにも画像を表示しない期間が生じる。
【０００７】
従来は、映像・音声の乱れにより、受信状態の確認を行っていたので、視聴者はその間、選択チャンネルの受信状態を知ることができなかった。その為、受信可能なチャンネルを選択する場合、選局し絵が出るまで待ってから次のチャンネルを選択しなければならなかった。
【０００８】
前記特開平３−２１４３２４号公報では、選局後にエラーレートを算出して受信状態を表示できるようにしているが、この方法では、選局後、同調、復調動作を行った後でないとエラーレートは計算出来ず、その間は受信状態を確認することは出来なかった。
【０００９】
また、屋外で受信する携帯受信、自動車等の移動体で受信する移動受信、を行う場合には、特に、受信する場所、アンテナの向きにより受信状態が変動するので、以前に選局し受信出来たチャンネルが今回も受信出来るとは限らず、そのチャンネルが受信可能かを素早く判別出釆ることが必要になる。
【００１０】
本発明の目的は、選局した後に絵が出るまでの間に選局したチャンネルの受信状態を知るようにすることにあり、特に、一のチャンネルの選局後に他の複数のチャンネルの受信状態を直ちに一覧表示を行い、この際、受信状態の表示を、チャンネルによる表示ではなくて、サービス番号単位で表示することにある。
【００１１】
【課題を解決するための手段】
アンテナから入力されたデジタル放送信号より希望の周波数の信号を選択するチューナ部と、受信した信号を復調及び誤り訂正を行うとともに受信した信号の受信状態の検出を行う復調訂正部と、を備えたデジタル放送受信装置であって、
前記チューナ部と前記復調訂正部はそれぞれ複数個有し、
一のチューナ部と一の復調訂正部によって一の周波数チャンネルの選局動作の開始から映像のデコードが終了するまでの間に前記一の復調訂正部で検出された受信状態を表示し、
他のチューナ部と他の復調訂正部によって受信可能な周波数範囲の各周波数チャンネルの選局動作を行い各周波数チャンネルの受信状態を検出して、前記一のチューナ部による受信状態の表示とともに、前記各周波数チャンネルの受信状態を一覧で表示し、
前記一の周波数チャンネルと前記各周波数チャンネルの受信状態の表示は、メモリに記録された周波数チャンネルとサービス番号との関連情報に基づいて、前記サービス番号が選局された際には当該サービス番号に該当する周波数チャンネルの受信状態を前記選局されたサービス番号単位で表示するデジタル放送受信装置。
【００１４】
【発明の実施の形態】
本発明の実施形態に係るデジタル放送受信装置について、図１、図２及び図３を用いて以下説明する。図１は本発明の実施形態に係るデジタル放送受信装置の構成を示すブロック図であり、図２は本実施形態における復調訂正部の内部構成を示す図であり、図３は選局時におけるＣＰＵの動作例を示すフローチャートである。
【００１５】
本発明の実施形態では、地上波デジタルＴＶの放送方式であるＯＦＤＭ（Ｏｒｔｈｏｇｏｎａｌ  Ｆｒｅｑｕｅｎｃｙ  Ｄｉｖｉｓｉｏ  Ｍｕｌｔｉｐｌｅｘｉｎｇ：直交周波数分割多重）方式を受信する際の構成例を示す。
【００１６】
図１に示すデジタル放送受信機において、１は放送電波を受信するアンテナ、２，１２は希望するチャンネルを選局しＲＦ（Ｒａｄｉｏ  Ｆｒｅｑｕｅｎｃｙ）信号を内部処理用のＩＦ（Ｉｎｔｅｒｍｅｄｉａｔｅ  Ｆｒｅｑｕｅｎｃｙ）に変換するチューナー部、３，１３はＩＦに変換された信号を、放送側で変調した変調方式に対応して、復調、誤り訂正を行う復調訂正部、８はトランスポートストリームデータを映像と音声に分けるトランスポートデコーダ、をそれぞれ表す。
【００１７】
そして、４はシステム全体の制御を司るＣＰＵ（中央演算処理装置）、５はチューナのステータス等のデータを格納する為のＲＡＭ（ランダムアクセスメモリ）、６は受信状態をＣＲＴ１１に表示する為の受信状態表示発生部、７は受信状態を表示する為の表示器、１４はチューナが複数あった時に入力を切り替える為のスイッチ、１６はＣＰＵを制御するためのプログラム、又は復調訂正部より読み出した受信ステータスの情報を受信状態として表示する為の情報に変換するプログラムやデータを記憶しておくＲＯＭ（Ｒｅａｄ  Ｏｎ１ｙ  Ｍｅｍｏｒｙ）である。
【００１８】
上述の復調訂正部３，１３の内部ブロックは、図２に示すように、大きく分類すると、１８の復調部、２０の誤り訂正部、２３のＣＰＵ  Ｉ／Ｆ部、より構成される。復調部１８は、チューナからの入力信号のレベルを調整するＡＧＣ１９、直交復調部、ＦＦＴ（Ｆａｓｔ  Ｆｏｕｒｉｅｒ  Ｔｒａｎｓｆｏｒｍ：高速フーリエ変換）、等化、ＴＭＣＣ復号、より構成される。誤り訂正部２０は、デインターリーブ、ビタビ復号、ＲＳ（リードソロモン）復号、受信Ｃ／Ｎ測定部２１、ＢＥＲ測定部２２、より構成される。
【００１９】
以上のように、本発明に係るデジタル放送受信装置は、放送電波を受信するアンテナと、希望するチャンネルを選局しＲＦ信号を内部処理用のＩＦに変換るチューナと、ＩＦに変換された信号を放送側で変調した変調方式、符号化方式に応じて復調、復号及び誤り訂正を行う復調訂正部と、復調された映像、音声をデコードするビデオプロセッサ部と、オーディオプロセッサ部と、復調訂正部からの受信ステータス情報に基いて表示内容を作成するＣＰＵと、受信ステータス情報を、受信情報としてＣＲＴに表示する為の内容に換算する為の換算式プログラム又はデータを記録したＲＯＭ部と、作成した表示内容を映像として出力する為の受信状態表示発生部と、受信状態を示す表示器と、ＣＰＵが各デバイスを制御する為のシステムバスと、を備えるものである。
【００２０】
次に、選局時において受信状態を示す例として、入力信号の強度を表示する場合の動作について図３のフローチャートに基いて説明する。ＣＰＵ４はチューナに受信する周波数を設定し（ステップＳｌ）、復調訂正部に同調動作を開始させることにより（ステップＳ２）、選局が開始される。復調訂正部はＡＧＣ（Ａｕｔｏｍａｔｉｃ  Ｇａｉｎ  Ｃｏｎｔｒｏｌ）回路を動作させ、チューナからの入力信号が最適な信号となるように、チューナ内のアンプを制御し、チューナの出力信号レベルを調節する。最適なレベルとなったら、復調訂正部はＡＧＣの調整が終了した旨を示すステータスをレジスタにセットする。
【００２１】
その間、ＣＰＵは復調訂正部のＣＰＵ  Ｉ／Ｆ２３よりＡＧＣ調整が終了したかを示すステータスを読み出し（ステップＳ３）、終了を確認する為のポーリング処理を行う（ステップＳ４）。調整が終了した際は、ＣＰＵ  Ｉ／Ｆより復調訂正部のＡＧＣレジスタを読み出し（ステップＳ５）、現在受信している信号の信号強度の情報を取得する。
【００２２】
次に、読み出したＡＧＣレジスタ値に基いて、その値より実際の信号レベルに換算を行い、その情報を、受信状態発生部、ビデオプロセッサを通じて表示器に出力することが出来る。
【００２３】
ここで、ＡＧＣレジスタ値を他の受信状態を表す数値に変換することもＣＰＵで変換することにより可能である。例えば、表示器７への表示について、信号強度により表示の色を分けることが可能である。例えばＬＥＤに表示をする場合、問題なく受信できるレベルの時は青（ステップＳ６，Ｓ７）、受信状態がエラーが発生する付近のレベルでは黄色（ステップＳｌ０）、受信出来ないときは赤を表示するようにする（ステップＳ８，Ｓ９）。同様の情報をＣＲＴへのチャンネル番号の数字の色により表示することも可能である。
【００２４】
以上の動作は選局がスタートしてから、ＡＧＣレベルの調整が終了する期間で終了するので、その後の同調動作、復号、誤り訂正、ＴＳのデコード等の動作が終了し絵が出るまで待たずに、すぐに信号の受信強度を表示することが可能である。
【００２５】
表示内容としては、ＡＧＣの値以外に、図２の誤り訂正部にある、受信Ｃ／Ｎ測定部、ＢＥＲ測定部、により、上記と同様に受信Ｃ／Ｎレベル、ＢＥＲ値を表示することも可能である。
【００２６】
ＢＥＲの算出法としては、誤り訂正部で誤り訂正した信号を、再エンコードを行い、訂正前のデータとを比較して行うことにより算出方法がある。
【００２７】
受信Ｃ／Ｎレベルの算出方法としては、等化後のコンスタレーションの受信信号においてあらかじめコンスタレーションの座標が判っているパイロット信号（ＳＰ）の受信座標の分散により受信状態を検出することが出来る。
また、選局時の表示内容としては、設定されている周波数の情報（現在のチャンネルの周波数）、同期状態にあるか、同期動作中にあるか、同期失敗状態にあるかの情報、変調方式の情報、設定した周波数から受信した電波の周波数がどの程度ずれているかを表す周波数オフセット値の情報等の受信状態の表示が可能である。これらの情報は、数値あるいはバーグラフ等のグラフィカルな表示にして見やすい形式で表示することも可能である。
【００２８】
また、チューナ、復調訂正部を複数備えることにより、例えば一方のチューナ、復調訂正部で、ある周波数を選局し、映像を表示している間に、もう一方のチューナ、復調訂正部で、受信可能な周波数範囲の各周波数のサーチを行い、各周波数の受信状態を記録しておく動作を継続して繰り返し行い、最新の受信状態を取得するようにしておき、先のチューナ、復調訂正部が選局動作を行う際には、その周波数の受信状態の情報について、あらかじめ記録しておいた受信状態の情報を表示するようにすることも可能である。
【００２９】
また、受信状態を表示する際には、選局設定された周波数のみならず、他の周波数の各チャンネルでの受信状態の表示を選局されたチャンネルと同時に表示することも可能である。例えば、１５チャンネルを選局された場合に、１５チャンネルの表示だけではなく、１３〜２５チャンネルの受信状態を一覧で画面に表示する。
【００３０】
上記受信状態を表示する際はチャンネルによる表示ではなく、サービスによる表示も可能である。周波数チャンネルとサービス番号とを関連づけた情報をＲＡＭ部に記録しておき、この情報を元にサービス番号単位での受信状態を表示することが可能である。例えばサービス番号“００１”番が周波数１５チャンネルに存在するサービスであったとすると、“００１”番が選局された際には、周波数１５チャンネルの受信状態を表示するようにする。
【００３１】
また、上記の２つのチューナ、復調訂正部を備えた受信機においては、選局失敗時に、現在選局可能なチャンネルリストを表示することも可能である。各周波数をサーチする際に、そのチャンネルの受信状態が受信可能かどうかの情報をＲＡＭ部に記録するようにしておくことにより、あるチャンネルの選局に失敗した場合には、現在選局可能なチャンネルリストあるいはサービスリストを選局後直ぐに表示することが可能である。
【００３２】
【発明の効果】
以上説明したように、本発明によれば、選局動作がスタートした後、同調完了するまでの間に、その周波数の入力信号レベル等の受信状態を表示することが可能であるので、選局した後に絵が出るまでの間にそのチャンネルの受信状態を知ることが出釆る。
【００３３】
携帯受信、移動受信時のように、受信状態が受信機の位置により変動がある場合においては、選局のたびに受信状態が異なる。本発明では、選局後直ぐに受信状態の表示がされるので、受信不可だった際に直ぐにチャンネルを変更することが可能である。又、そのチャンネルの受信状態がどのレベルかを直ぐに把握することが出来るので、後でアンテナレベルにより受信状態の表示をする手間を省くことが出来る。
【００３４】
また、本発明によれば、選局して映像表示している一方のチューナ以外の他方のチューナ、復調訂正部を用いて、各周波数の受信状態のリストを作成しているので、選局時に即座にそのチャンネルの受信状態を表示することが出来る。
【００３５】
また、そのチャンネルの受信状態が悪く、受信出来ない場合でも、現在受信可能なチャンネルのリストを即座に表示することが可能である。視聴者は絵が出るまで待つ必要がなく、リストが表示された時点で他のチャンネルに選局することが出きる。
【図面の簡単な説明】
【図１】本発明の実施形態に係るデジタル放送受信装置の構成を示すブロック図である。
【図２】本実施形態における復調訂正部の内部構成を示す図である。
【図３】選局時におけるＣＰＵの動作例を示すフローチャートである。
【符号の説明】
１  アンテナ
２，１２  チューナー
３，１３  復調訂正部
４  ＣＰＵ
５  ＲＡＭ
６  受信状態表示発生部
７  表示器
８  トランスポートデコーダ
９  ビデオプロセッサ
１０  オーディオプロセッサ
１１  ＣＲＴ
１４  スイッチ
１５  システムバス
１６  ＲＯＭ
１７  復調訂正部
１８  復調部
１９  ＡＧＣ回路
２０  誤り訂正部
２１  受信Ｃ／Ｎ測定部
２２  ＢＥＲ測定部
２３  ＣＰＵ  Ｉ／Ｆ
【図１】
0003722719.tif 000002
【図２】
0003722719.tif 000003
【図３】
0003722719.tif 000004